(57)【要約】【課題】滑車によりマンホール蓋枠の上端縁をレールとして回動可能とし、専ら手動操作を用いてカッター切断作用を行えるようにしてマンホール内に埋設されたマンホールの締結用のボルトを切断できるようにしたマンホール内壁切断装置を提供。【解決手段】マンホール蓋枠上周縁Ｍ１を、レールとして滑動する滑車を配設した滑車支持機構７、該滑車支持機構を外周３箇所に水平方向に進退自在に配設した把手を有する基板２、前記滑車支持機構７と前記基板２との間に設けた垂直方向に働く昇降機構Ｐ、前記基板２には駆動源と、この駆動源と歯車機構を介して従動し、水平面上で回転する平板状円形カッター３を移動させる押圧調節機構、とより成り、前記平板状円形カッター３により、マンホール蓋枠Ｍを支持するボルト軸Ｂないしボルト軸とコンクリート壁を切断できるようにして成ることを特徴とするマンホール内壁切断装置。【選択図】図１
2009062683.tif 000002
【特許請求の範囲】
【請求項１】
マンホール蓋枠上周縁を、レールとして滑動する滑車を配設した滑車支持機構、該滑車支持機構を外周３箇所に水平方向に進退自在に配設した把手を有する基板、前記滑車支持機構と前記基板との間に設けた垂直方向に働く昇降機構、前記基板には駆動源と、この駆動源と歯車機構を介して従動し、水平面上で回転する平板状円形カッターを移動させる押圧調節機構、とより成り、前記平板状円形カッターにより、マンホール蓋枠を支持するボルト軸ないしボルト軸とコンクリート壁を切断できるようにして成ることを特徴とするマンホール内壁切断装置。
【請求項２】
滑車支持機構は、滑車支持板に対して２個一組の滑車を水平方向に対して進退自在に、かつ滑車の軸偏位調整可能に設けて成ることを特徴とする請求項１記載のマンホール内壁切断装置。
【請求項３】
昇降機構は、基板の外周３箇所に水平方向に進退自在の調節板を設け、かつ螺管を起立し、この螺管に螺合する摘子付螺杆を有する筒管体に内挿し、前記摘子螺杆の螺合操作により基板を垂直方向に上下動できるようにして成ることを特徴とする請求項１記載のマンホール内壁切断装置。
【請求項４】
押圧調節機構は、基板に設けた操作ハンドルと、この操作ハンドルで手動で回転される軸と、この軸に設けた歯車と噛合する歯車滑車と、この歯車滑車の最終端の螺杆と、この螺杆と螺合して螺杆上を前後に移動する螺合体と、この螺合体と従動固着した駆動源とより成り、前記ハンドル軸を回転させることにより、駆動源を基板上で水平方向に移行させ、平板円形カッターを壁面に向けて切断させるようにして成ることを特徴とする請求項１記載のマンホール内壁切断装置。
【発明の詳細な説明】
【技術分野】
【０００１】
本発明は、マンホール枠と、地下のマンホール垂直面との間に設けられるコンクリート製の調整リングとの間に介在固着させたボルトないしコンクリート壁（調節リング）を切断するためのマンホール内壁切断装置に関する。
【背景技術】
【０００２】
一般にマンホールは、道路の破損マンホール自体の損傷などの要因により、路面の修復と併せてマンホールの取替交換が行なわれている。
【０００３】
そして、マンホール取替交換の場合は、マンホールの外周路面を、円筒状カッターや弧状曲面カッターを用いて切断した後、このマンホール枠と一体となって切断される路面を一つの塊として杠上持上げて廃棄除去する際、マンホール内壁を切断する必要がある。
【０００４】
このマンホール内壁の切断するものとして、従来では、例えばマンホール工事用枠体撤器が知られている（例えば、特許文献１及び特許文献２参照）。
【０００５】
さらに、マンホール内壁内に埋設されるボルトを切断する技術が知られている（例えば、特許文献３参照）。
【特許文献１】実開昭６２−１００９８４号公報
【特許文献２】特開平９−１５８１１４号公報
【特許文献３】特開２００７−９６４４号公報
【発明の開示】
【発明が解決しようとする課題】
【０００６】
上述の特許文献１および２は、いずれもマンホール内壁を切断するためのナイフ構造のカッターを備えているが、コンクリートを切截するものに限られ、締結用のボルトを切断することは不可能である。
【０００７】
これに対し特許文献３は、ボルトを切断することが可能のことが示されている。しかし乍ら、特許文献３にあっては、カッター機構を備える固定基板はマンホール蓋枠上縁に確固に固定され、カッター機構は回転軸を中心として回動させているので、きわめて不安定となり、しかもカッター機構はシリンダーとピストンによってマンホール内壁に作用力として働かせているので、加工制御が難しいという問題がある。
【０００８】
本発明は叙上の点に着目して成されたもので、滑車によりマンホール蓋枠の上端縁をレールとして回動可能とし、専ら手動操作を用いてカッター切断作用を行えるようにした、主としてこの種の締結用のボルトを切断できるようにすると共に、併せてコンクリート製の調整リングも連続して切断できるようにしたマンホール内壁切断装置を提供することを目的とする。
【課題を解決するための手段】
【０００９】
本発明は以下の構成を備えることにより、上記課題を解決できるものである。
【００１０】
（１）マンホール蓋枠上周縁を、レールとして滑動する滑車を配設した滑車支持機構、該滑車支持機構を外周３箇所に水平方向に進退自在に配設した把手を有する基板、前記滑車支持機構と前記基板との間に設けた垂直方向に働く昇降機構、前記基板には駆動源と、この駆動源と歯車機構を介して従動し、水平面上で回転する平板状円形カッターを移動させる押圧調節機構、とより成り、前記平板状円形カッターにより、マンホール蓋枠を支持するボルト軸ないしボルト軸とコンクリート壁を切断できるようにして成ることを特徴とするマンホール内壁切断装置。
【００１１】
（２）滑車支持機構は、滑車支持板に対して２個一組の滑車を水平方向に対して進退自在に、かつ滑車の軸偏位調整可能に設けて成ることを特徴とする前記（１）記載のマンホール内壁切断装置。
【００１２】
（３）昇降機構は、基板の外周３箇所に水平方向に進退自在の調節板を設け、かつ螺管を起立し、この螺管に螺合する摘子付螺杆を有する筒管体に内挿し、前記摘子螺杆の螺合操作により基板を垂直方向に上下動できるようにして成ることを特徴とする前記（１）記載のマンホール内壁切断装置。
【００１３】
（４）押圧調節機構は、基板に設けた操作ハンドルと、この操作ハンドルで回転される軸と、この軸に設けた歯車と噛合する歯車滑車と、この歯車滑車の最終端の螺杆と、この螺杆と螺合して螺杆上を前後に移動する螺合体と、この螺合体と従動固着した駆動源とより成り、前記ハンドル軸を回転させることにより、駆動源を基板上で水平方向に移行させ、平板円形カッターを壁面に向けて切断させるようにして成ることを特徴とする前記（１）記載のマンホール内壁切断装置。
【発明の効果】
【００１４】
本発明によれば、基板には三方向の周縁に滑車支持機構を介して設けられてあるので、マンホール蓋枠の上縁端をレールとして案内され乍ら、円滑に回転作動でき、また水平方向への平板状円形カッターも内壁に対して適正な高さを昇降機構を介して簡単に設定できると共に、切断加工は押圧調節機構によって、手動の操作ハンドルで作業者の無理のない押圧力で処理できるという効果を有する。
【００１５】
また、基板のマンホール孔内での移動も、把手を手動で作業者が安全に行えると共に、マンホール径の大きさの大小に応じて滑車支持機構が微調節自在に進退自在であるので、無理なく行なえるという利点を有する。
【発明を実施するための最良の形態】
【００１６】
以下に、本発明の一実施例を図面と共に説明する。
【実施例】
【００１７】
図面において、１は駆動源としてのエンジンで、公知のスターターや燃料タンクなどは省略してある。２はこの駆動源１の出力軸より所望の歯車機構（減速手段）を介して従動し、水平面上で回転する平板状円形カッター３を備える基板、４はマンホール蓋枠Ｍの上周縁Ｍ１上を滑動する鍔付の滑車を示し、前記基板２に設けた把子５により作業者は基板２を矢符方向にマンホール蓋枠Ｍに沿って回動操作させることができる。７は前記滑車４を枢支した滑車支持機構を示し、図示では基板２の外周三方向に２個一組の滑車４を以って構成してある。６は２個一組の滑車４のうちの一方に設けた、マンホール蓋枠の径の大きさに応じて、レールとしてのマンホール蓋枠Ｍの中心位置からの軸偏位を調整する螺杆（図５（ａ）参照）であり、２個一組の滑車４，４を常に適正偏位を保持して転動させることができるようにしてある。即ち、この螺杆６の先端６ａと、その当接する基板２の当板２ｂとの距離を調節して、滑車４，４の軸偏位を微調整できる。８は滑車支持機構７の基部に立設した筒管体、９は調節板１０に立設した螺管を示し、この螺管９を前記筒管体８に上下自在かつ回動自在に挿通可能させてあり、筒管体８に頂部より挿通させた摘子付螺杆１１と螺合させることにより、この摘子付螺杆１１の手動操作により螺管９を上下自在に調節して昇降機構Ｐを形成している。１２は筒体管８の側面に螺合させた止螺子で、螺合挿通させた螺管９の外周と係止固定させて摘子付螺杆１１の昇降位置を確固に設定できる。１３は螺管９の螺孔、１４はこの螺孔１３と螺合する摘子付螺杆１１の螺溝、１５は基板２の外周三方向に突設した突部２ａの長孔１６に沿って外周方向に向って進退自在に長さを調節できる止具で、マンホール蓋枠Ｍの大小に応じて図４（ｃ）のように水平方向に調節板１０の基部を固定できる。
【００１８】
ところで、マンホール蓋枠Ｍ１の径の大きさが大小に異なる場合には、滑車支持機構７を基板２の中心に対して外周放射方向で調節板１０を止具１５を緩めて長孔１６に沿って進退移動させ、マンホール蓋枠Ｍ１の径に合致させ、その後に締結すると共に、さらに２個一組の三方向に設けた滑車４，４の一方の滑車４について、マンホール蓋枠Ｍ１の径に合致させて、螺杆６を用いて滑車支持機構７を螺管９を中心に回動させて軸偏位調整を行うことにより、三個一組の滑車４，４は適正な円形軌道を確保できるものである。
【００１９】
他方、基板２をマンホール蓋枠Ｍの上端縁で滑動する滑車４，４に対して上下昇降させるには、滑車支持機構７の筒管体８とこの筒管体８内に挿通させる螺管９の上下方向に昇降させることにより、昇降機構Ｐを介して好みの高さ調節を簡単に行わせることができる。
【００２０】
つぎに、１７は基板２上に設けた支枠、１８はこの支枠１７で軸支される手動用の操作ハンドル、１９は垂直方向の回転軸、２０はこの回転軸１９の下端に設けた傘歯車、２１は水平方向に噛合する傘歯車、２２はこの傘歯車２１と組み合わされる歯車群で、最終段のボールネジ２３と噛合し、基板２の下方において基板２の直径方向に配設される。２４はこのボールネジ２３と螺合し、駆動源１の下面に固着した螺合体を示し、この螺合体２４は、操作ハンドル１８の作業者のボールネジ２３による回転作用を受けて駆動源１を基板２上で所望摺動手段により水平方向に移行させ、これにより平板状円形カッター３をマンホール壁面Ｈに向けて移動させることができる押圧調節機構Ｑを構成している。
【００２１】
なお図において、２５は平板状円形カッター３を回転駆動させるための回転軸（図示せず）の軸筒、２６は平板状円形カッター３の保護カバーを示し、図示しない散水口を臨ませ、平板状円形カッター３による切断時の破砕屑、粉塵などの飛散を防ぐことができる。２７は基板２に穿った溝孔で、平板状円形カッター３の軸筒２５が障害なく通過できるようにしてある。
【００２２】
叙上の構成に成るので、予め取替予定のマンホール蓋枠Ｍの径の大きさを確認し、基板２の外周三方向に設けた滑車支持機構７の取付位置を設定し、滑車４，４をマンホール蓋枠Ｍの上周縁Ｍ１上に正しく載置し、併せて２個一組の滑車４，４のうちの一方の滑車４の軸偏位の調整を、螺杆６を用いて微調整して、全体をマンホール蓋枠Ｍ上に滑動自在に載置させる。
【００２３】
なお、載置前にマンホール内壁Ｈの切断箇所を定めるべく、昇降機構Ｐにより螺管９と滑車支持機構７の筒管体８との昇降位置を明確にするために、摘子付螺杆１１によって螺合位置を定め、止螺子１２によって確固に固定して置く必要がある。
【００２４】
ついで、マンホール蓋枠締結用のボルト軸Ｂが挿通してある位置において、平板状円形カッター３を、エンジン１を働かせて回転させる必要回転速度で回転させて置き、操作ハンドル１８を作業者が手動で調整し乍ら押圧して押圧調節機構Ｑの働きにより、エンジン１および軸筒２５は、平板状円形カッター３と共に図３に矢符で示すようにマンホール内壁Ｈのボルト軸Ｂの挿通箇所に向って進行させ、所望時間後、周辺のコンクリートと共にボルト軸Ｂを切断させることができるものである。
【００２５】
一般に、マンホール蓋枠Ｍをコンクリート内壁と緊締螺合させるためのボルト軸Ｂは、その周縁数箇所に等間隔で埋設されているので、平板状円形カッター３は、引続きマンホール内壁Ｈの内周に沿って把子５を作業者は回転させ、滑車４，４をマンホール蓋枠Ｍの上周縁Ｍ１上で転動させ乍ら移動させることにより、マンホール内壁Ｈの全円周に亘って切断することができる。
【００２６】
なお、ボルト軸Ｂ自体は金属製であるため、切断操作に強靭な切断力を必要とするので、平板状円形カッター３による切断処理が必要であるが、このボルト軸Ｂ以外のマンホール内壁Ｈ自体は、硬度が金属程強くないので、平板状円形カッター３の切断処理は、ボルト軸Ｂの埋設箇所のみの部分的切断処理に止どめ、マンホール蓋枠Ｍとコンクリートと一体化した廃棄物の塊は、他の必要な杠上機器により杠上剥取によって簡単に除去することができる。
【００２７】
平板状円形カッター３によるマンホール内壁Ｈの切断後のマンホール蓋枠Ｍの除去作用は、種々好みの公知の工具を用いて自由に杠上廃棄できる。
【００２８】
特に、マンホール蓋枠Ｍの路面に対して、その外周を切断する際には、従来、円筒型カッターまたは断面円弧状曲面カッターを用いて、切断面を円筒状または椀曲面状に形成する工法が知られており、之等の切断工法に続いて、この実施例に示す平板状円形カッター３を用いて、マンホール内壁Ｈ内側より、ボルト軸Ｂに沿って、このボルト軸Ｂを切断することにより、マンホール蓋枠Ｍを含むコンクリート路面の一つの塊として撤去することができる。
【００２９】
本発明によれば、マンホール蓋枠Ｍの径の大小に対しては、滑車支持機構７を円周方向、即ち径方向に沿って調節板１０と共に、基板２の外周３箇所で進退調節でき、またボルト軸Ｂの切断箇所は、昇降機構Ｐによって平板状円形カッター３を好みの高さに設定できるので、マンホール内壁Ｈの内周より効率よく切断できる。
【００３０】
特に、平板状円形カッター３のマンホール内壁Ｈへの加圧は、操作ハンドル１８により作業者の手作業により、自由に調節できるので、無理なく確実にボルト軸Ｂはじめコンクリートを切断できる。
【図面の簡単な説明】
【００３１】
【図１】本発明に係るマンホール内壁切断装置の一実施例を示す平面図
【図２】図１の側面図で、中心線を介して左側は基板が下方位置の場合を示し、右側は基板が上方位置の場合を示す
【図３】基板に設けた操作ハンドルと駆動源との歯車機構を示し、滑車支持機構がマンホール蓋枠上周縁に載置されて、駆動源から得られる回転力で回転する平板状円形カッターが取付けられている状況を模視的に示す側面断面図
【図４】昇降機構と滑車支持機構とを分解して示す説明断面図で、（ａ）は全体を示す断面図、（ｂ）は滑車機構のみの断面図、（ｃ）は基板の突部と螺杆との関係を示す断面図
【図５】（ａ）は昇降機構を含む基板と滑車支持機構を示す部分拡大平面図、（ｂ）は筒管体の斜面図
【符号の説明】
【００３２】
１    エンジン（駆動源）
２    基板
２ａ  突部
２ｂ  当板
３    平板状円形カッター
４    滑車
５    把子
７    滑車支持機構
６    螺杆
６ａ  螺杆の先端
８    筒管体
９    螺管
１０    調節板
１１    摘子付螺杆
１２    止螺子
１３    螺孔
１４    螺溝
１５    止具
１６    長孔
１７    支枠
１８    操作ハンドル
１９    回転軸
２０    傘歯車
２１    傘歯車
２２    歯車郡
２３    ボールネジ
２４    螺合体
２５    軸筒
２６    保護カバー
２７    溝孔
Ｂ    ボルト軸
Ｈ    マンホール内壁
Ｍ    マンホール蓋枠
Ｍ１  マンホール蓋枠の上周縁
Ｐ    昇降機構
Ｑ    押圧調節機構
【図１】
2009062683.tif 000003
【図２】
2009062683.tif 000004
【図３】
2009062683.tif 000005
【図４】
2009062683.tif 000006
【図５】
2009062683.tif 000007